(57)【特許請求の範囲】
【請求項１】
ボトル軸に沿って口部、肩部、胴部及び底部が一体的に成形されたピンチグリップ式ボトル型容器であって、
前記胴部のうち、前記ボトル軸を径方向に沿って間に挟むように互いに対向する側面領域に、それぞれ形成された一対の指当て用凹部と、
前記胴部のうち、前記一対の指当て用凹部間に位置する背面領域に形成され、前記口部側から前記底部側に向かって前記ボトル軸に対して漸次接近するように所定角度で傾斜するグリップ面と、を備え、
前記一対の指当て用凹部は、前記口部側から前記底部側に向かって、延在方向の全長に亘って前記所定角度で傾斜し、前記グリップ面に対して平行に延在し、
前記肩部のうち、前記ボトル軸を間にして前記背面領域に対向する前面領域には、平坦面が形成されていることを特徴とするピンチグリップ式ボトル型容器。
【請求項２】
請求項１に記載のピンチグリップ式ボトル型容器において、
前記指当て用凹部は、複数の凹部から形成されていることを特徴とするピンチグリップ式ボトル型容器。
【発明の詳細な説明】
【技術分野】
【０００１】
本発明は、ピンチグリップ式ボトル型容器に関するものである。
【背景技術】
【０００２】
ペットボトルに代表されるような合成樹脂製の容器は、軽量で取り扱いが容易であること、透明性を確保しつつガラス製の容器に比較して遜色のない外観を呈することに加え、コスト的にも安価であることから、主に飲料用の容器として多用されている。
また、近年では、ごみの削減やリサイクルを図る観点から、容器１個当たりに使用される樹脂材料の削減化が求められている。このようなニーズに応えるために、容器の胴部を掴んで内容物を抽出するタイプの容器、いわゆるピンチグリップ式ボトル型容器（特許文献１参照）が提供されている。
【０００３】
このピンチグリップ式ボトル型容器は、使用者が容器の胴部を掴み易いように、胴部の側面領域に指あて用の凹部が形成されているのが一般的である。そのため、内容物を注ぎ易く、使用者にとっては使い易い容器である。よって、この種の容器は、様々な内容物（例えば、醤油、油、焼酎等のアルコール類）を入れる容器として使用されており、最近では内容量が多い（例えば、２．７リットル超）大型のものも提供されている。
【特許文献１】特開２００３−１６５５１８号公報
【発明の開示】
【発明が解決しようとする課題】
【０００４】
しかしながら、上述した従来のピンチグリップ式ボトル型容器には、まだ以下の課題が残されていた。
即ち、ピンチグリップ式ボトル型容器は、上述したように、胴部に指あて用の凹部等が形成されているので、グリップ性が良く持ち易い構造になっているが、内容物を注ぐ際には依然として注意を要するものであった。つまり、内容物を注ぐ際に、注意しないと零してしまう可能性があった。
特に、内容物が容器内に十分に入っている場合には、容器の口部付近まで内容物が満たされているので、注ぎ始めに零してしまう可能性が高かった。また、内容量が多い容器の場合には、重量があるので容器を注ぐ際に微妙な傾き調整を安定して行うことが難しく、零し易くなってしまう。しかも、重量があるので、容器を傾ける際に手首にかかる負担が大きかった。そのため、子供や年配の方等にとっては、扱い難いものであった。
【０００５】
この発明は、このような事情を考慮してなされたもので、その目的は、手首にかかる負担を軽減したうえで、特に注ぎ始めに内容物を注ぎ易いピンチグリップ式ボトル型容器を提供することである。
【課題を解決するための手段】
【０００６】
上記の目的を達成するために、この発明は以下の手段を提供している。
本発明に係るピンチグリップ式ボトル型容器は、ボトル軸に沿って口部、肩部、胴部及び底部が一体的に成形されたピンチグリップ式ボトル型容器であって、前記胴部のうち、前記ボトル軸を径方向に沿って間に挟むように互いに対向する側面領域に、それぞれ形成された一対の指当て用凹部と、前記胴部のうち、前記一対の指当て用凹部間に位置する背面領域に形成され、前記口部側から前記底部側に向かって前記ボトル軸に対して漸次接近するように所定角度で傾斜するグリップ面と、を備え、前記一対の指当て用凹部は、前記口部側から前記底部側に向かって、延在方向の全長に亘って前記所定角度で傾斜し、前記グリップ面に対して平行に延在し、前記肩部のうち、前記ボトル軸を間にして前記背面領域に対向する前面領域には、平坦面が形成されていることを特徴とするものである。
【０００７】
この発明に係るピンチグリップ式ボトル型容器においては、胴部の背面領域にボトル軸に対して傾斜する方向に延在したグリップ面が形成されている。そのため、グリップ面に手の平を当てた状態で容器を掴むと、鉛直軸に対して容器が自然と傾いた状態となる。しかも、掴んだときに、指先を当てる一対の指当て用凹部も、口部側から底部側に向かってグリップ面と略平行な方向に延在している。そのため、手の平による効果に加え、指先を指当て用凹部に引っ掛けたことによる効果によって、持ち上げられた容器は自然と傾いた状態となる。
つまり使用者は、例えば台上に置かれた容器を通常の感覚で掴み、そのまま持ち上げるだけで、容器を鉛直軸に対して自然と所定角度傾けることができる。よって、従来のものに比べて、内容物を容易に注ぐことができ、内容物を零し難い。特に、内容量が多いほど、その効果が顕著である。また、容器が予め傾いているので、注ぐ際に手首をそれほど傾ける必要がない。従って、手首にかかる負担を軽減することができ、子供や年配の方であっても、安心して使用することができる。
【００１１】
更に、本発明に係るピンチグリップ式ボトル型容器によれば、グリップ面が口部側から底部側に向かってボトル軸に対して漸次接近するように傾斜していると共に、該傾斜に合わせて指当て用凹部も傾いている。そのため、容器を掴んだ際に、注ぐ側とは反対側の背面領域側に口部を予め傾けることができる。そのため、容器を掴む際に、手首を腕部に対して立てた状態（手の平を腕部の方向に対してできるだけ直交させた状態）で掴むことができる。従って、内容物を注ぐ際に、手首自体をそれほど回転させずに、腕自体の傾きによって注ぐことが可能となる。よって、手首への負担をより軽減することができる。また、グリップ面及び指当て用凹部を水平にした際に、口部が下方を向いた状態となるので、内容物の残量が少なくなったときに、内容物をより注ぎ易くなる。
加えて、本発明に係るピンチグリップ式ボトル型容器によれば、口部と胴部との間に位置する肩部のうち、内容物を注ぐ側である前面領域側に平坦面が形成されている。よって、内容物を注ぐ際に、該内容物が常にこの平坦面上を通過した際に口部に達し、その後、注がれていく。通常、外方に湾曲している一般的な肩部の場合には、内容物の残量が少なくなると、肩部の部分に内容物が溜まってしまい、容器を過度に傾けない限り完全に内容物を排出することが難しい場合が多々ある。しかしながら、上述したように、肩部の一部が平坦面となっているので、残量が少なくなった場合であっても、肩部に内容物が溜まってしまうことがない。従って、容器を過度に傾けなくても、完全に内容物を排出することができる。
【００１４】
また、本発明に係るピンチグリップ式ボトル型容器は、上記本発明のピンチグリップ式ボトル型容器において、前記指当て用凹部が、複数の凹部から形成されていることを特徴とするものである。
【００１５】
この発明に係るピンチグリップ式ボトル型容器においては、指当て用凹部が単なる１つの凹部ではなく、指先（人差し指、中指等）がそれぞれ嵌り込む複数の凹部から形成されている。そのため、容器を掴む際に、指先を各凹部にしっかり嵌め込むことができ、グリップ性をより向上することができる。
【発明の効果】
【００１８】
この発明に係るピンチグリップ式ボトル型容器によれば、手首にかかる負担を軽減したうえで、特に注ぎ始めに内容物を注ぎ易くすることができる。よって、内容量が多く、重量がある場合であっても、子供や年配の方に関係なく誰でも安心して使用することができる。
【発明を実施するための最良の形態】
【００１９】
（第１実施形態）
以下、本発明に係るピンチグリップ式ボトル型容器の第１実施形態について、図１から図５を参照して説明する。但し、この第１実施形態は、本発明に係るピンチグリップ式ボトル型容器の参考例である。
なお、図１はピンチグリップ式ボトル型容器の側面図であり、図２はピンチグリップ式ボトル型容器の正面図であり、図３は図１に示す断面矢視Ａ−Ａ図であり、図４はピンチグリップ式ボトル型容器を持ち上げた状態を示す図であり、図５は持ち上げたピンチグリップ式ボトル型容器を若干傾けて内容物Ｗを注いでいる状態を示す図である。
【００２０】
本実施形態のピンチグリップ式ボトル型容器１は、図１から図３に示すように、ボトル軸Ｌに沿って口部２、肩部３、胴部４及び底部５が、例えば、ポリエチレンテレフタレート（ＰＥＴ）等の合成樹脂により一体的に成形されたボトルである。胴部４は、底部５の上方に連設されており、ボトル軸Ｌを中心に略円筒状に形成された部分である。また、肩部３は、胴部４の上端側から上方に向けて漸次縮径された部分である。また、口部２は、肩部３の上端部に連設され、上方に向けて延在した部分である。なおこの口部２には、図示しないキャップが嵌合する嵌合突起２ａが外周に亘って形成されている。
【００２１】
ところで、胴部４のうち、ボトル軸Ｌを径方向（図２及び図３に示す矢印Ｘ方向）に沿って間に挟むように互いに対向する側面領域Ｅ１には、一対の指当て用凹部１０がそれぞれ形成されている。また、胴部４のうち、図１から図３に示すように、これら一対の指当て用凹部１０間に位置する背面領域Ｅ２には、口部２側から底部５側に向かってボトル軸Ｌに対して傾斜する方向に延在したグリップ面１１が形成されている。
このグリップ面１１を含む背面領域Ｅ２全体は、ピンチグリップ式ボトル型容器１を掴む際に、手の平が接触するグリップ部となる部分であり、図３に示すように、全体的に湾曲したなだらかな曲面とされている。
【００２２】
但し、グリップ面１１に関しては、図１に示すように側面から見たときに、上述したようにボトル軸Ｌに対して傾斜する方向に延在、即ち、所定角度θ１だけ傾斜した状態となっている。具体的に説明すると、グリップ面１１は、口部２側から底部５側に向かってボトル軸Ｌから漸次離間するように傾斜するように形成されている。この際、グリップ面１１は、水平面に対して略６０°〜８５°程度の角度θ２だけ傾くように調整すると好ましい。
【００２３】
上記一対の指当て用凹部１０は、図１から図３に示すように、ピンチグリップ式ボトル型容器１の内方に凹んだ長尺な凹部であり、口部２側から底部５側に向かってグリップ面１１の延在する方向に沿って平行に延在している。つまり、一対の指当て用凹部１０は、グリップ面１１と略平行な長手方向（図１に示す矢印Ｍ方向）に沿って形成され、ボトル軸Ｌに対してグリップ面１１と略同一角度θ１だけ傾斜した状態で形成されている。
また、一対の指当て用凹部１０は、共に同じ形状に形成されている。この際、その長さは、例えば、人差し指、中指、薬指及び小指を真っ直ぐにしてくっつけた際に、人差し指から小指までの平均的な横幅よりも若干長くなるように設計されている。
【００２４】
次に、このように構成されたピンチグリップ式ボトル型容器１に充填された内容物Ｗを注ぐ場合について、以下に説明する。
まず、このピンチグリップ式ボトル型容器１には、胴部４の背面領域Ｅ２にグリップ面１１が形成されている。そのため、グリップ面１１に手の平を当てた状態でピンチグリップ式ボトル型容器１を掴むと、図４に示すように、鉛直軸Ｚに対してピンチグリップ式ボトル型容器１が自然と傾いた状態となる。しかも、指先を引っ掛ける一対の指当て用凹部１０もグリップ面１１と略平行な長手方向（Ｍ方向）に沿って形成されて、ボトル軸Ｌに対して略同じ角度θ１だけ傾斜している。そのため、手の平による効果に加え、指先で引っ掛けたことによる効果によって、持ち上げられたピンチグリップ式ボトル型容器１は自然と傾いた状態となる。
【００２５】
つまり、使用者は、例えば台上に置かれたピンチグリップ式ボトル型容器１を通常の感覚で掴み、そのまま持ち上げるだけで、ピンチグリップ式ボトル型容器１を鉛直軸Ｚに対して自然と傾けることができる。よって、従来のものに比べて、内容物Ｗを容易に注ぐことができる。特に、内容量が多いほど、その効果が顕著である。また、ピンチグリップ式ボトル型容器１が予め傾いているので、注ぐ際に手首をそれほど傾ける必要がない。従って、手首にかかる負担を軽減することができ、子供や年配の方であっても、安心して使用することができる。
【００２６】
しかも、本実施形態では、グリップ面１１が口部２側から底部５側に向かってボトル軸Ｌから漸次離間するように傾斜していると共に、該傾斜に合わせて指当て用凹部１０も傾いている。そのため、ピンチグリップ式ボトル型容器１を掴んだ際に、注ぐ側である前面領域Ｅ３側に口部２を予め傾けることができる。従って、図５に示すように、使い始め等、特に内容物Ｗが口部２の付近まで十分に入っていたとしても、非常に注ぎ易くなる。
【００２７】
上述したように、本実施形態のピンチグリップ式ボトル型容器１によれば、手首にかかる負担を軽減したうえで、特に注ぎ始めに内容物Ｗを注ぎ易くすることができる。よって、内容量が多く、重量がある場合であっても、子供や年配の方に関係なく安心して使用することができる。
【００２８】
（第２実施形態）
次に、本発明に係るピンチグリップ式ボトル型容器の第２実施形態を、図６から図８を参照して説明する。なお、図６はピンチグリップ式ボトル型容器の側面図であり、図７はピンチグリップ式ボトル型容器の正面図であり、図８はピンチグリップ式ボトル型容器を水平に傾けた状態を示す図である。
なお、この第２実施形態においては、第１実施形態における構成要素と同一の部分については、同一の符号を付しその説明を省略する。第２実施形態と第１実施形態との異なる点は、グリップ面１１及び指当て用凹部１０の傾斜方向が異なる点である。
また、この第２実施形態における図６から図８に示す形態は、本発明に係るピンチグリップ式ボトル型容器の参考例である。
【００２９】
即ち、本実施形態のピンチグリップ式ボトル型容器２０は、図６及び図７に示すように、グリップ面１１が、口部２側から底部５側に向かってボトル軸Ｌに対して漸次接近するように所定角度θ１だけ傾斜している。同様に、本実施形態の指当て用凹部１０も同様に、グリップ面１１と平行になるように第１実施形態とは逆方向に傾いている。
【００３０】
このように構成されたピンチグリップ式ボトル型容器２０においては、ピンチグリップ式ボトル型容器２０を掴んだ際に、注ぐ側とは反対側の背面領域Ｅ２側に口部２を予め傾けることができる。そのため、ピンチグリップ式ボトル型容器２０を掴んだ際に、手首を腕部に対して立てた状態（手の平を腕部の方向に対してできるだけ直交させた状態）で掴むことができる。従って、内容物Ｗを注ぐ際に、手首自体をそれほど回転させずに、腕自体の傾きによって注ぐことが可能となる。よって、手首への負担をより軽減することができる。
また、グリップ面１１及び指当て用凹部１０を水平にしたときに、図８に示すように、口部２が自然と下方を向いた状態となるので、内容物Ｗの残量が少なくなったときに、該内容物Ｗをより注ぎ易くなる。
【００３１】
なお、上記第２実施形態において、図９に示すように、指当て用凹部１０のうち底部５側をグリップ面１１により接近するように湾曲させても構わない。但し、図９に示す形態についても、本発明に係るピンチグリップ式ボトル型容器の参考例である。
こうすることで、ピンチグリップ式ボトル型容器２０を掴む際に、他の指に比べて長さの短い小指を確実に指当て用凹部１０に引っ掛けることができる。従って、グリップ性を向上することができ、ピンチグリップ式ボトル型容器２０をより安定した状態で掴むことができる。
なお、第２実施形態に適用した場合を例に挙げて説明したが、第１実施形態のピンチグリップ式ボトル型容器１に適用しても構わない。
【００３２】
また、上記第２実施形態において、図１０に示すように、指当て用凹部１０を、単なる１つの凹部ではなく、指先（人差し指、中指等）がそれぞれ嵌り込む複数の凹部１０ａが長手方向に沿って間欠的に連なるように形成しても構わない。但し、図１０に示す形態についても、本発明に係るピンチグリップ式ボトル型容器の参考例である。
こうすることで、ピンチグリップ式ボトル型容器２０を掴む際に、各指先を各凹部１０ａにしっかりと嵌め込むことができ、やはりグリップ性を向上することができる。
また、図示しないが、指当て用凹部１０を、例えば、並列又は縦列に複数形成して、手の大きさやピンチグリップ式ボトル型容器２０の重心に合わせて指をあてがう指当て用凹部１０の位置を選択できるようにしても構わない。こうすることで、注ぎ易さとグリップ性とを共に向上させることもできる。
なお、上述したいずれの場合も第２実施形態に適用した場合を例に挙げて説明したが、第１実施形態のピンチグリップ式ボトル型容器１に適用しても構わない。
【００３３】
更に、上記第２実施形態において、図１１に示すように、口部２と胴部４との間の肩部３のうち、ボトル軸Ｌを間にして背面領域Ｅ２に対向する前面領域Ｅ３に平坦面３ａを形成しても構わない。この図１１に示す形態は、本発明に係るピンチグリップ式ボトル型容器の実施例である。
このように、内容物Ｗを注ぐ側である前面領域Ｅ３側に平坦面３ａを形成することで、内容物Ｗを注ぐ際に、該内容物Ｗが常にこの平坦面３ａ上を通過して口部２に達し、その後、注がれることになる。
ここで、通常、外方に湾曲している一般的な肩部３の場合には、内容物Ｗの残量が少なくなると、肩部３の部分に内容物Ｗが溜まってしまい、ピンチグリップ式ボトル型容器２０を過度に傾けない限り完全に内容物Ｗを排出することが難しい場合が多々ある。しかしながら、上述したように、肩部３の一部が平坦面３ａとなっているので、残量が少なくなった場合であっても、肩部３に内容物Ｗが溜まってしまうことがない。従って、ピンチグリップ式ボトル型容器２０を過度に傾けなくても、完全に内容物Ｗを排出させることができる。但し、肩部３の一部が平坦面３ａではなく、図１２に示すように、肩部３の一部が内方に突出した湾曲面３ｂとしても構わない。この場合であっても、平坦面３ａの場合と同様の作用効果を奏することができる。但し、図１２に示す形態については、本発明に係るピンチグリップ式ボトル型容器の参考例である。
なお、上述したいずれの場合も第２実施形態に適用した場合を例に挙げて説明したが、第１実施形態のピンチグリップ式ボトル型容器１に適用しても構わない。
【００３４】
なお、本発明の技術範囲は、上記実施形態に限定されるものではなく、本発明の趣旨を逸脱しない範囲において、種々の変更を加えることが可能である。
【００３５】
例えば、ピンチグリップ式ボトル型容器は、ＰＥＴ等の熱可塑性樹脂を二軸延伸ブロー成形によって成形できるが、その製造方法は特に限定されるのではない。また、ピンチグリップ式ボトル型容器の充填容量は、特定の量に限定されるものではない。例えば、２．７リットルや２．７リットル超の大容量タイプ、或いは、１．８リットルや１リットル程度の容量でも構わない。
【００３６】
また、図１３及び図１４に示すように、指当て用凹部１０に滑り止め用リブ１０ｂを形成しても構わない。但し、図１３及び図１４に示す形態については、本発明に係るピンチグリップ式ボトル型容器の参考例である。こうすることで、指当て用凹部１０に指先をあてたときに、より滑り難くなるので、グリップ性をさらに向上することができる。
なお、図１３及び図１４では、滑り止め用リブ１０ｂを指当て用凹部１０の長手方向に沿って間隔を空けて６つ形成した場合を例に挙げたが、これに限定されるものではない。滑り止め用リブ１０ｂの形状や数等は、自由に設計して構わない。また、突起状の滑り止め用リブ１０ｂを例に挙げたが、凹み状の滑り止め用リブ１０ｂとしても構わない。
【図面の簡単な説明】
【００３７】
【図１】本発明に係る第１実施形態のピンチグリップ式ボトル型容器の側面である。
【図２】図１に示すピンチグリップ式ボトル型容器の正面図である。
【図３】図１に示す断面矢視Ａ−Ａ図である。
【図４】図１に示すピンチグリップ式ボトル型容器を掴んで持ち上げた状態を示す図である。
【図５】図４に示す状態から、ピンチグリップ式ボトル型容器を若干傾けて内容物を注いでいる状態を示す図である。
【図６】本発明に係る第２実施形態のピンチグリップ式ボトル型容器の側面である。
【図７】図６に示すピンチグリップ式ボトル型容器の正面図である。
【図８】図６に示すピンチグリップ式ボトル型容器を水平に傾けた状態を示す図である。
【図９】図６に示すピンチグリップ式ボトル型容器の変形例を示す図であって、指当て用凹部の一部が湾曲している例を示す図である。
【図１０】図６に示すピンチグリップ式ボトル型容器の変形例を示す図であって、複数の凹部が連なることで指当て用凹部が構成されている例を示す図である。
【図１１】図６に示すピンチグリップ式ボトル型容器の変形例を示す図であって、肩部の一部に平坦面が形成されている示す図である。
【図１２】図６に示すピンチグリップ式ボトル型容器の変形例を示す図であって、肩部の一部に湾曲面が形成されている示す図である。
【図１３】図１に示すピンチグリップ式ボトル型容器の変形例を示す側面図であって、指当て用凹部に滑り止め用リブが形成されている面である。
【図１４】図１３に示すピンチグリップ式ボトル型容器の正面図である。
【符号の説明】
【００３８】
Ｌ…ボトル軸
Ｍ…長手方向
１、２０…ピンチグリップ式ボトル型容器
２…口部
３…肩部
３ａ…平坦面
３ｂ…湾曲面
４…胴部
５…底部
１０…指当て用凹部
１０ａ…複数の凹部
１１…グリップ面
【図１】
0005280037.tif 000002
【図２】
0005280037.tif 000003
【図３】
0005280037.tif 000004
【図４】
0005280037.tif 000005
【図５】
0005280037.tif 000006
【図６】
0005280037.tif 000007
【図７】
0005280037.tif 000008
【図８】
0005280037.tif 000009
【図９】
0005280037.tif 000010
【図１０】
0005280037.tif 000011
【図１１】
0005280037.tif 000012
【図１２】
0005280037.tif 000013
【図１３】
0005280037.tif 000014
【図１４】
0005280037.tif 000015